(57)【特許請求の範囲】
【請求項１】
寝る人の頭側に位置して幅方向に延びる金属製頭枠と、寝る人の足側に位置して幅方向に延びる金属製足枠と、寝る人の両側部に位置して長さ方向に延びる１対の金属製側枠とを含む金属製ベッド枠と、
前記金属製頭枠の内面に沿って位置して幅方向に延びる木製頭部プレートと、前記金属製足枠の内面に沿って位置して幅方向に延びる木製足部プレートと、前記１対の金属製側枠の外面に沿って位置して長さ方向に延び、その両端が前記木製頭部プレートおよび前記木製足部プレートに連結される１対の木製側部プレートとを含む木製ベッド枠とを備え、
前記木製ベッド枠は、前記１対の金属製側枠に下から支えられ、
前記金属製ベッド枠は、４つのコーナ部に設けられた支柱によって床面上に支えられており、
前記木製頭部プレートの頂部および前記木製足部プレートの頂部は、前記支柱の頂部よりも高い位置にある、ベッド。
【請求項２】
前記木製側部プレートは、前記金属製側枠の上面に乗り上がって長さ方向に延びる内側方突出部を含む、請求項１に記載のベッド。
【請求項３】
前記木製頭部プレートおよび前記木製足部プレートは、それぞれ、前記金属製側枠の外面および内面を抱え込んだ状態で金属製側枠の上面に乗り上げる切込を含む、請求項１または２に記載のベッド。
【発明の詳細な説明】
【０００１】
【産業上の利用分野】
この発明は、金属製のベッド枠を備えたベッドに関するものである。
【０００２】
【従来の技術】
病院等に設置される病人看護用ベッドとしては、通常金属製のベッド枠を備えたベッドが採用されている。その理由として、たとえば、▲１▼金属製ベッドは大量生産に適していること、▲２▼金属製ベッドに対しては、ベッドの上下機構やベッドのリクライニング機構などを容易に取付けることができること等が挙げられる。
【０００３】
【発明が解決しようとする課題】
金属製ベッドには上記利点があるものの、その反面、外観的に殺風景であり、暖かみが感じられない。また、安っぽい印象を受ける。
【０００４】
一方、木製ベッドは、外観的に暖かみがあり、病人等にとって安心感を抱く。また、外観的に高級な印象を受ける。その反面、前述したような金属製ベッドの利点が奏されなくなる。
【０００５】
そこで、本発明の目的は、金属製ベッドの利点と木製ベッドの利点とを兼ね備えたベッドを提供することである。
【０００６】
【課題を解決するための手段】
この発明に従ったベッドは、金属製ベッド枠と、木製ベッド枠とを備える。金属製ベッド枠は、寝る人の頭側に位置して幅方向に延びる金属製頭枠と、寝る人の足側に位置して幅方向に延びる金属製足枠と、寝る人の両側部に位置して長さ方向に延びる１対の金属製側枠とを含む。木製ベッド枠は、金属製頭枠の内面に沿って位置して幅方向に延びる木製頭部プレートと、金属製足枠の内面に沿って位置して幅方向に延びる木製足部プレートと、１対の金属製側枠の外面に沿って位置して長さ方向に延び、その両端が木製頭部プレートおよび木製足部プレートに連結される１対の木製側部プレートとを含む。木製ベッド枠は、１対の金属製側枠に下から支えられている。
【０００７】
望ましくは、木製側部プレートは、金属製側枠の上面に乗り上がって長さ方向に延びる内側方突出部を含む。
【０００８】
さらに望ましくは、木製頭部プレートおよび木製足部プレートは、それぞれ、金属製側枠の外面および内面を抱え込んだ状態で金属製側枠の上面に乗り上げる切込を含む。
【０００９】
さらに望ましくは、金属製ベッド枠は、４つのコーナ部に設けられた支柱によって床面上に支えられており、木製頭部プレートの頂部および木製足部プレートの頂部は、支柱の頂部よりも高い位置にある。
【００１０】
【発明の作用効果】
本願発明では、基本的なベッドの骨組構造として、金属製ベッド枠を使用している。この金属製ベッド枠は大量生産に適し、かつベッド上下機構やベッドリクライニング機構などを容易に取付けることができる。
【００１１】
木製ベッド枠は、１対の金属製側枠に下から支えられている。この木製ベッド枠は、人の目に触れやすい金属製ベッド枠の部分を覆い隠している。木製ベッド枠上に現れている木目模様は、見る人に対して暖かみや安心感を与える。また、外観的にも高級な印象を受ける。
【００１２】
木製ベッド枠は金属製ベッド枠の上に載っているだけであるので、木製ベッド枠を上方に持ち上げれば容易に金属製ベッド枠から取外すことができる。木製ベッド枠は単に金属製ベッド枠の上に載るだけのものであるので、強固な構造は不要である。木製ベッド枠を製造するにあたり、木目模様の異なったものや、木の種類の異なったものを多数用意しておけば、外観的に全く印象の異なった多数のベッドを提供することができる。この場合であっても、基本的なベッド骨組構造を構成する金属製ベッド枠は共通である。
【００１３】
【実施例】
この発明の一実施例が図１に示されている。図１に示すベッドは、金属製ベッド枠１０と、この金属製ベッド枠１０上に載っている木製ベッド枠３０と、金属製ベッド枠１０上に支えられているマットレス２０とを備える。
【００１４】
木製ベッド枠３０を取外した図２を参照すると、金属製ベッド枠１０の構造が明瞭に観察される。金属製ベッド枠１０は、寝る人の頭側に位置して幅方向に延びる金属製頭枠１１と、寝る人の足側に位置して幅方向に延びる金属製足枠１２と、寝る人の両側部に位置して長さ方向に延びる１対の金属製側枠１３と、４つのコーナ部に位置する支柱１４とを備える。頭枠１１、足枠１２、側枠１３の両端は、それぞれ、支柱１４に連結されている。
【００１５】
図示していないが、金属製ベッド枠１０の底面等には、ベッドの上下機構やベッドリクライニング機構等が設置されてもよい。
【００１６】
図１を参照して、木製ベッド枠３０は、金属製頭枠１１の内面に沿って位置して幅方向に延びる木製頭部プレート３１と、金属製足枠１２の内面に沿って位置して幅方向に延びる木製足部プレート３２と、１対の金属製側枠１３の外面に沿って位置して長さ方向に延び、その両端が木製頭部プレート３１および木製足部プレート３２に連結される１対の木製側部プレート３３とを含む。
【００１７】
図３に示されている木製頭部プレート３１には、幅方向に見て両側部に近い位置で下端から上方に向かって切込まれた切込３４が設けられている。切込３４のやや上方には貫通穴３５が設けられている。
【００１８】
同様に、図４に示されている木製足部プレート３２には、幅方向に見て両側部近傍の位置に、下端から上方に向かって切込まれた切込３６が設けられている。この切込３６のやや上方には、貫通穴３７が設けられている。
【００１９】
図５に示されている木製側部プレート３３は、その上方端部分において内側側方に突出し、かつ長さ方向の全長にわたって延びている内側方突出部３８を含む。内側方突出部３８の両端には、穴３９が形成されている。穴３９内には、たとえば、ナットが埋込まれる。
【００２０】
図６は、木製ベッド枠３０を図示している。図示するように、１対の木製側部プレート３３の両端は、木製頭部プレート３１および木製足部プレート３２に連結されている。これらのプレートを組立てる際、木製側部プレート３３の両端の穴３９が、木製頭部プレート３１の貫通穴３５および木製足部プレート３２の貫通穴３７に整列するようにされる。その整列状態で、木製頭部プレート３１の外面側および木製足部プレート３２の外面側からそれぞれ貫通穴３５および貫通穴３７を通過するねじ４０をねじ込み、木製側部プレート３３の穴３９内に埋込まれたナットに螺合させれば、各木製プレートは互いに固定される。
【００２１】
図６に示すように組立てられた木製ベッド枠３０は、図２に示す金属製ベッド枠１０上に載せられる。ねじなどを用いて木製ベッド枠３０を金属製ベッド枠１０に固定しているのではなく、単に木製ベッド枠３０を金属製ベッド枠１０の金属製側枠１３の上に載せているだけである。
【００２２】
木製ベッド枠３０が、金属製ベッド枠１０上で動かないようにするために、構造的に以下の工夫がなされている。図７に示すように、木製頭部プレート３１の切込３４は、金属製側枠１３の外面および内面を抱え込んだ状態で金属製側枠１３の上面に乗り上げている。図７は、木製頭部プレート３１の一方の側方部分のみを図示しているが、他方の側方部分においても同様の構造が実現されている。したがって、木製頭部プレート３１の幅方向への位置ずれは生じない。
【００２３】
木製ベッド枠３０の幅方向への位置ずれを防止する工夫は、木製側部プレート３３にも施されている。図８を参照して、木製側部プレート３３の内側方突出部３８は、金属製側枠１３の上面に乗り上がって長さ方向に延びている。図８は、木製頭部プレート３１の一方の側方部分の構造を図示しているが、他方の側方部分にも同様の構造が実現されている。したがって、１対の木製側部プレート３３は、１対の金属製側枠１３の外面を外側から抱え込み、これによりベッド枠３０の幅方向への位置ずれを防止している。
【００２４】
木製頭部プレート３１は金属製頭枠１１の内面に沿って位置し、木製足部プレート３２は金属製足枠１２の内面に沿って位置しているので、木製ベッド枠３０の長さ方向への位置ずれは防止される。
【００２５】
好ましくは、木製頭部プレート３１の頂部および木製足部プレート３２の頂部は、金属製ベッド枠１０の支柱１４の頂部よりも高い位置にあるようにされる。このような位置関係にすれば、支柱を木製頭部プレート３１および木製足部プレート３２の背後に隠して目立たないようにすることができる。
【００２６】
以上のように、この発明によれば、ベッドの基本的な骨組構造として、大量生産に適し、かつベッド上下機構およびベッドリクライニング機構の設置が容易な金属製ベッド枠を使用している。そして、外観的に暖かみおよび安心感を持たせ、かつ高級感を出すために、木製ベッド枠を金属製ベッド枠上に置き、金属製ベッド枠の大部分を目立たないようにしている。こうして、この発明によれば、金属製ベッド枠と木製ベッド枠の両方の利点を兼ね備えることができる。
【００２７】
なお、図面に表わした構造はこの発明の一実施例にすぎない。したがって、この発明の均等の範囲内において種々の修正や変形が可能である。たとえば、図示した実施例では、木製頭部プレートおよび木製足部プレートに切込を設け、木製側部プレートに内側方突出部を設けることによって木製ベッド枠の幅方向への位置ずれを防止している。しかしながら、切込を設けるだけでも木製ベッド枠の幅方向の位置ずれを防止でき、あるいは内側方突出部を設けるだけでも木製ベッド枠の幅方向への位置ずれを防止できる。
【図面の簡単な説明】
【図１】この発明の一実施例を示す斜視図である。
【図２】金属製ベッド枠を示す斜視図である。
【図３】木製頭部プレートを示す斜視図である。
【図４】木製足部プレートを示す斜視図である。
【図５】木製側部プレートを示す斜視図である。
【図６】木製ベッド枠を示す斜視図である。
【図７】木製頭部プレートの支持構造を示す図である。
【図８】木製側部プレートの支持構造を示す図である。
【符号の説明】
１０  金属製ベッド枠
１１  金属製頭枠
１２  金属製足枠
１３  金属製側枠
３０  木製ベッド枠
３１  木製頭部プレート
３２  木製足部プレート
３３  木製側部プレート
３４  切込
３６  切込
３８  内側方突出部
【図１】
0003644511.tif 000002
【図２】
0003644511.tif 000003
【図３】
0003644511.tif 000004
【図４】
0003644511.tif 000005
【図５】
0003644511.tif 000006
【図６】
0003644511.tif 000007
【図７】
0003644511.tif 000008
【図８】
0003644511.tif 000009